(57)【要約】【課題】ディジタルテレビ放送受信携帯端末において、受信したメールに記述されている番組情報に基づき番組を視聴することができるシステムが提案されているが、ディジタルテレビ放送受信携帯端末の所在位置によっては、放送エリアの関係で番組を視聴できない場合がある。【解決手段】受信したメールに記載された番組が視聴できない場合に、他のディジタルテレビ放送受信機で該当番組を録画できるようにすることで、できるだけ多くの番組を視聴することができるようになる。【選択図】図１
2006196952.tif 000002
【特許請求の範囲】
【請求項１】
メールを受信するメール受信部と、前記メール受信部が受信したメールから番組情報を取得する番組情報解析部と、前記番組情報解析部が取得した番組情報の中からユーザーが選択した番組が視聴可能か否かを判断する視聴可否判定部と、少なくとも録画機能と通信機能を有する他のディジタルテレビ放送受信機と通信を行う通信部とを備えたディジタルテレビ放送携帯受信機であって、前記視聴可否判定部が、前記ユーザーが選択した番組が視聴不可能であると判断した場合に、前記ユーザーが選択した番組の番組情報を前記他のディジタルテレビ放送受信機へ送信し、前記送信した番組情報に対応して、前記他のディジタルテレビ放送受信機が送信する前記ユーザーが選択した番組の視聴可否を示す応答信号を受信し、受信した前記受信可否を示す応答信号に応じて前記他のディジタルテレビ放送受信機に対して録画を要求する信号を送信することを特徴とするディジタルテレビ放送携帯受信機。
【請求項２】
前記録画を要求する信号の送信条件は、ユーザーによって設定可能であることを特徴とする請求項１記載のディジタルテレビ放送携帯受信機。
【請求項３】
前記番組情報解析部が取得した番組情報の中からユーザーが選択した番組を視聴予約あるいは録画予約することを可能とする番組予約管理部をさらに有し、前記番組予約管理部は、視聴あるいは録画予約中の番組の視聴可否状態を監視する機能を有することを特徴とする請求項１記載のディジタルテレビ放送携帯受信機。
【請求項４】
前記番組予約管理部は、視聴予約中の番組が視聴可能状態から視聴不可能状態に移行したと判断した場合に、前記他のディジタルテレビ放送受信機へ録画を要求する信号を前記通信部を介して送信することを特徴とする請求項３記載のディジタルテレビ放送携帯受信機。
【請求項５】
メールを受信するメール受信部と、前記メール受信部が受信したメールから番組情報を取得する番組情報解析部と、前記番組情報解析部が取得した番組情報の中からユーザーが選択した番組が視聴可能か否かを判断する視聴可否判定部と、少なくとも通信機能を有する他のディジタルテレビ放送受信機と通信を行う通信部とを備えたディジタルテレビ放送携帯受信機であって、前記視聴可否判定部が、前記ユーザーが選択した番組が視聴不可能であると判断した場合に、前記ユーザーが選択した番組の番組情報を前記他のディジタルテレビ放送受信機へ送信し、前記送信した番組情報に対応して、前記他のディジタルテレビ放送受信機が送信する前記ユーザーが選択した番組の視聴可否を示す応答信号を受信し、受信した前記受信可否を示す応答信号に応じて、前記通信部が前記他のディジタルテレビ放送受信機から前記ユーザーが選択した番組の画像情報および／または音声情報を全て、あるいは一部を一定周期毎に受信することを特徴とするディジタルテレビ放送携帯受信機。
【請求項６】
前記他のディジタルテレビ放送受信機は、固定型のディジタルテレビ放送受信機であることを特徴とする請求項１ないし５のいずれかに記載のディジタルテレビ放送携帯受信機。
【請求項７】
前記他のディジタルテレビ放送受信機は、ディジタルテレビ放送受信機能を有するＰＣであることを特徴とする請求項１ないし５のいずれかに記載のディジタルテレビ放送携帯受信機。
【請求項８】
前記他のディジタルテレビ放送受信機は、携帯型のディジタルテレビ放送受信機であることを特徴とする請求項１ないし５のいずれかに記載のディジタルテレビ放送携帯受信機。
【請求項９】
メールを受信し、前記受信したメールから番組情報を取得し、前記取得した番組情報の中でユーザーが選択した番組が視聴可能か否かを判断し、前記ユーザーが選択した番組の視聴が不可能であると判断された場合、前記ユーザーが選択した番組の番組情報を他のディジタルテレビ放送受信機へ送信し、前記送信した番組情報に基づく応答信号を前記他のディジタルテレビ放送受信機から受信し、さらに、前記受信した応答信号に基づき前記他のディジタルテレビ放送受信機に対し録画を要求する信号を送信することを特徴とするディジタルテレビ放送携帯受信機における番組録画予約方法。
【発明の詳細な説明】
【技術分野】
【０００１】
本発明は、メールを受信する機能を有するディジタルテレビ放送携帯受信機であって、受信したメールに記載されている番組情報の中で視聴を希望する番組があった場合、その希望する番組が仮にディジタルテレビ放送携帯受信機の視聴エリア外の番組であった場合でも、その番組を視聴することを可能にするディジタルテレビ放送携帯受信機及び番組録画予約方法に関するものである。
【背景技術】
【０００２】
近年、テレビ放送は、従来のアナログテレビ放送からテレビ放送信号をディジタル化したディジタルテレビ放送に徐々に置き換わりつつあり、現在日本においては、放送衛星を利用した衛星ディジタルテレビ放送が普及しつつあるのに加え、地上波ディジタルテレビ放送も一部の地域からではあるが開始された。この地上波ディジタルテレビ放送においては、据置型のディジタルテレビ受信機で受信する固定受信以外に、携帯型のディジタルテレビ受信機などで移動中でも受信できる携帯受信の用途が広がることが予想される。
【０００３】
なお、携帯型の地上波ディジタルテレビ受信機においては、携帯電話機との機能的な融合が予想され、現在および将来にわたって携帯電話機が有するメール機能やインターネット接続機能などの機能が、携帯型のディジタルテレビ受信機に付加されることは十分に予測されることである。したがって、携帯型のディジタルテレビ受信機が、ディジタルテレビ放送番組に関する情報が記載された番組情報メールを受信する機能を持つようになるのは自然の成り行きであると考えられる。
【０００４】
上記のように、ディジタルテレビ放送番組の番組情報メールを受信する機能を有し、ディジタルテレビ放送番組に関する情報が記載された番組情報メールを受信した場合、その受信した番組情報を記憶して管理し、視聴を希望する番組の放送時間に合わせて視聴を開始できるようにしたディジタルテレビ携帯受信機に関する技術が特許文献１に開示されている。
【特許文献１】特開２００３−３０９７３４号公報
【発明の開示】
【発明が解決しようとする課題】
【０００５】
しかしながら、地上波ディジタルテレビ放送は、地域（放送エリア）毎に放送番組が異なることに加え、ユーザーは移動しながらディジタルテレビ携帯受信機を使用することが予想されるので、ユーザーは、受信したメールに記載されているディジタルテレビ番組の番組情報の中から視聴を希望する番組を選び、その選んだ番組を携帯するディジタルテレビ放送携帯受信機で視聴しようとしても、必ずしも視聴することができるとは限らない。
【０００６】
本発明の目的は、ユーザーが受信したメールに記載されているディジタルテレビ番組の番組情報の中から選んだ視聴を希望する番組（当該番組）が、携帯するディジタルテレビ放送携帯受信機で視聴できない状態にある場合は、少なくとも録画機能と通信機能を有する他のディジタルテレビ放送受信機に指示して当該番組を録画することによって、ユーザーが当該番組を見ることができないことによって感じる不快感を緩和し、視聴を希望する番組をより多く視聴可能とすることができるディジタルテレビ放送携帯受信機を提供することである。
【０００７】
また、本発明の更なる目的は、ユーザーが受信したメールに記載されているディジタルテレビ放送番組の番組情報の中から選んだ視聴を希望する番組（当該番組）を、携帯するディジタルテレビ放送携帯受信機で視聴できない状態にある場合は、少なくとも通信機能を有する他のディジタルテレビ放送受信機が受信して再生した当該番組の画像情報および／あるいは音声情報の全てを、あるいはその一部をある一定の周期毎に取得することによって、当該番組の全てあるいは一部をリアルタイムに視聴することができるディジタルテレビ放送携帯受信機を提供することである。
【０００８】
また、本発明の更なる目的は、視聴することが予約された番組の視聴可否状態を監視し、ユーザーが所在場所を移動することなどによって視聴予約された番組が視聴することができない状態に移行した場合は、少なくとも録画機能と通信機能を有する他のディジタルテレビ放送受信機に指示して視聴予約していた番組を録画することによって、ユーザーに煩わしい操作をさせることなく、視聴を希望する番組をより多く視聴可能とすることができるディジタルテレビ放送携帯受信機を提供することである。
【０００９】
また、本発明の更なる目的は、ユーザーが受信したメールに記載されているディジタルテレビ番組の番組情報の中から選んだ視聴を希望する番組（当該番組）を、携帯するディジタルテレビ放送携帯受信機で視聴できない状態にある場合は、少なくとも録画機能と通信機能を有する他のディジタルテレビ放送受信機に指示して当該番組を録画することによって、ユーザーが当該番組を見ることができないことによって感じる不快感を緩和し、視聴を希望する番組をより多く視聴可能とすることができる番組録画予約方法を提供することである。
【課題を解決するための手段】
【００１０】
上記課題を解決するために、第１の本発明（請求項１）は、
メールを受信するメール受信部と、前記メール受信部が受信したメールから番組情報を取得する番組情報解析部と、前記番組情報解析部が取得した番組情報の中からユーザーが選択した番組が視聴可能か否かを判断する視聴可否判定部と、少なくとも録画機能と通信機能を有する他のディジタルテレビ放送受信機と通信を行う通信部とを備えたディジタルテレビ放送携帯受信機であって、前記視聴可否判定部が、前記ユーザーが選択した番組が視聴不可能であると判断した場合に、前記ユーザーが選択した番組の番組情報を前記他のディジタルテレビ放送受信機へ送信し、前記他のディジタルテレビ放送受信機が受信した番組情報を基に、前記ユーザーが選択した番組が受信可能か否かを判断して送信する受信可否応答信号を受信し、前記受信した受信可否応答信号に応じて前記他のディジタルテレビ放送受信機に対して録画を要求する信号を送信するようにしたことを特徴とするディジタルテレビ放送携帯受信機である。
【００１１】
第２の本発明（請求項３、４）は、
前記番組情報解析部が取得した番組情報の中からユーザーが選択した番組を視聴予約あるいは録画予約することを可能とする番組予約管理部をさらに有し、前記番組予約管理部は、視聴あるいは録画予約中の番組の視聴可否状態を監視する機能を有しており、視聴予約中の番組が視聴可能状態から視聴不可能状態に移行したと判断した場合に、前記他のディジタルテレビ放送受信機へ録画を要求する信号を前記通信部を介して送信するようにしたことを特徴とする第１の本発明に記載のディジタルテレビ放送携帯受信機である。
【００１２】
第３の本発明（請求項５）は、
メールを受信するメール受信部と、前記メール受信部が受信したメールから番組情報を取得する番組情報解析部と、前記番組情報解析部が取得した番組情報の中からユーザーが選択した番組が視聴可能か否かを判断する視聴可否判定部と、少なくとも通信機能を有する他のディジタルテレビ放送受信機と通信を行う通信部とを備えたディジタルテレビ放送携帯受信機であって、前記視聴可否判定部が、前記ユーザーが選択した番組が視聴不可能であると判断した場合に、前記ユーザーが選択した番組の番組情報を前記他のディジタルテレビ放送受信機へ送信し、前記送信した番組情報に対応して、前記他のディジタルテレビ放送受信機が送信する前記ユーザーが選択した番組の視聴可否を示す応答信号を受信し、受信した前記受信可否を示す応答信号に応じて、前記通信部が前記他のディジタルテレビ放送受信機から前記ユーザーが選択した番組の画像情報および／または音声情報を全て、あるいは一部を一定周期毎に受信するようにしたことを特徴とするディジタルテレビ放送携帯受信機である。
【００１３】
本発明に係る番組録画予約方法に関連する第４の本発明（請求項９）は、
メールを受信し、前記受信したメールから番組情報を取得し、前記取得した番組情報の中でユーザーが選択した番組が視聴可能か否かを判断し、前記ユーザーが選択した番組の視聴が不可能であると判断された場合、前記ユーザーが選択した番組の番組情報を他のディジタルテレビ放送受信機へ送信し、前記送信した番組情報に基づく応答信号を前記他のディジタルテレビ放送受信機から受信し、さらに、前記受信した応答信号に基づき前記他のディジタルテレビ放送受信機に対し録画を要求する信号を送信するようにしたことを特徴とするディジタルテレビ放送携帯受信機における番組録画予約方法である。
【発明の効果】
【００１４】
本発明のディジタルテレビ放送携帯受信機は、上記構成を有し、ユーザーが受信したメールに記載されているディジタルテレビ放送番組の中から選んだ視聴を希望する番組（当該番組）が視聴することができない状態にある場合は、他のディジタルテレビ放送受信機に指示して当該番組を録画することによって、ユーザーが当該番組を見ることができないことによって抱く不快感を緩和し、視聴を希望する番組をより多く視聴可能とすることができる。
【００１５】
更に、本発明のディジタルテレビ放送携帯受信機は、上記構成を有し、視聴することが予約された番組の視聴可否状態を監視し、ユーザーが所在場所を移動することなどによって視聴予約された番組が視聴することができない状態に移行した場合は、他のディジタルテレビ放送受信機に指示して視聴予約していた番組を録画することによって、ユーザーに煩わしい操作をさせることなく、視聴を希望する番組をより多く視聴可能とすることができる。
【００１６】
更に、本発明のディジタルテレビ放送携帯受信機は、上記構成を有し、ユーザーが受信したメールに記載されているディジタルテレビ放送番組の番組情報の中から選んだ視聴を希望する番組（当該番組）が、携帯するディジタルテレビ放送携帯受信機で視聴できない状態にある場合は、他のディジタルテレビ放送受信機が受信して再生した当該番組の画像情報および／あるいは音声情報の全てを、あるいはその一部を一定の周期毎に他のディジタルテレビ放送受信機から取得することによって、当該番組の全てあるいは一部をリアルタイムに視聴可能とすることができる。
【００１７】
更に、本発明の番組録画予約方法は、ユーザーが受信したメールに記載されているディジタルテレビ番組の番組情報の中から選んだ視聴を希望する番組（当該番組）が、携帯するディジタルテレビ放送携帯受信機で視聴できない状態にある場合は、他のディジタルテレビ放送受信機に指示して当該番組を録画することによって、ユーザーが当該番組を見ることができないことによって感じる不快感を緩和し、視聴を希望する番組をより多く視聴を可能とすることができる。
【発明を実施するための最良の形態】
【００１８】
以下、本発明の実施の形態を、図面を参照しながら説明する。
【００１９】
（実施の形態１）
図１は、本発明の実施の形態１における、ディジタルテレビ放送携帯受信機の構成を示すブロック図である。
【００２０】
図１において、ディジタルテレビ放送携帯受信機１ａは、ディジタルテレビ放送受信部１１、番組情報記憶部１２、メール受信部１３、番組情報解析部１４、視聴可否判定部１５、表示部１６、ディジタルテレビ放送受信機１ｃ制御部１７、通信部１８、およびスピーカ１９を備えている。メール作成装置１ｂは、一般的なメールの送受信機能に加え、ディジタルテレビ放送の番組情報を受信し、その受信した番組情報が記載された番組情報メールを送信する機能を備え、ディジタルテレビ放送受信機１ｃは、少なくともディジタルテレビ放送を受信、録画する機能と、ディジタルテレビ放送携帯受信機１ａとの通信機能とを備えている。
【００２１】
ディジタルテレビ放送携帯受信機１ａにおいて、ディジタルテレビ放送受信部１１は、ディジタルテレビ放送局１ｄから送信されるディジタルテレビ放送コンテンツから番組情報を取得し、その取得した番組情報を番組情報記憶部１２に保存する。メール受信部１３は、メール作成装置１ｂが送信した番組情報が記載された番組情報メールを受信する。番組情報解析部１４は、メール受信部１３が受信した番組情報の中から視聴を希望する番組として、あるいは必要な番組として選択した番組（当該番組）の番組情報を取得し、視聴可否判定部１５に送信する。視聴可否判定部１５は、番組情報記憶部１２が保持する番組情報と、番組情報解析部１４から取得した番組情報を基に、当該番組が視聴可能であるか否かを判断する。表示部１６は、ディジタルテレビ放送受信部１１で受信したディジタルテレビ放送の画像を表示するだけでなく、視聴が可能であるか否かの判断結果等の情報も表示する。ディジタルテレビ放送受信機１ｃ制御部１７は、通信部１８を介して番組情報解析部１４が取得した番組情報やユーザーからの録画要求等の情報をディジタルテレビ放送受信機１ｃへ送信する。スピーカ１９は、ディジタルテレビ放送受信部１１で受信したディジタルテレビ放送の音声等を再生する。
【００２２】
次に、本発明の実施の形態１におけるディジタルテレビ放送携帯受信機１ａにおいて、実行される動作のフローチャートを示した図２を参照しながら、ディジタルテレビ放送携帯受信機１ａが、メール作成装置１ｂが送信した番組情報メールを受信し、受信した番組情報メールに記述されている番組情報の中から選択した番組（当該番組）が視聴できない場合、ディジタルテレビ放送受信機１ｃに録画要求信号を送信して当該番組を録画する動作について説明する。
【００２３】
図２において、ディジタルテレビ放送携帯受信機１ａのメール受信部１３は、メール作成装置１ｂが送信した番組情報メールを受信し、その受信した番組情報を番組情報解析部１４に送信する（ステップＳ１１）。番組情報解析部１４は、受信した番組情報を解析して番組情報の中から視聴を希望する番組として、あるいは必要な番組として選択した番組（当該番組）の番組情報を取得し、その取得した当該番組の番組情報を視聴可否判定部１５に送信する（ステップＳ１２）。視聴可否判定部１５は、番組情報記憶部１２が保持する番組情報と、番組情報解析部１４から送信された番組情報を基に、当該番組が視聴可能であるか否かを判断する（ステップＳ１３）。視聴不可と判断された場合、ディジタルテレビ放送受信機１ｃ制御部１７は、通信部１８を介して番組情報解析部１４が取得した当該番組の番組情報をディジタルテレビ放送受信機１ｃへ送信する（ステップＳ１４）。その後、ディジタルテレビ放送受信機１ｃ制御部１７は、ディジタルテレビ放送受信機１ｃが、受信した当該番組が自身で受信可能か否かを判断した後に送信する受信可否応答信号を受信する（ステップＳ１５）。受信可否応答信号が「受信可能」であることを示している場合（ステップＳ１６）、表示部１６に当該番組を録画するかどうかのメッセージを表示し、ユーザーが録画するか否かを判断してディジタルテレビ放送携帯受信機１ａの操作部（図示せず）から入力する録画指令のトリガの発生を待つ（ステップＳ１７）。録画指令のトリガが発生した場合、ディジタル放送受信機１ｃ制御部１７は、通信部１８を介して当該番組の録画を要求する信号（録画要求信号）をディジタルテレビ放送受信機１ｃに送信する（ステップＳ１８）。
【００２４】
なお、ステップＳ１５において、ディジタルテレビ放送受信機１ａが、通信部１８を介してあらかじめ取得しているディジタルテレビ放送受信機１ｃの番組情報と、当該番組の番組情報とを比較することで、ディジタルテレビ放送受信機１ｃにおける当該番組の視聴可否判定を行ってもよい。
【００２５】
また、ステップＳ１６において、受信可否応答信号が「受信不可能」であることを示している場合は、「他のディジタルテレビ放送受信機に録画できない」ことを示すメッセージを表示部１６に表示して、ユーザーに通知してもよい。
【００２６】
また、ステップＳ１７において、ユーザーによる録画指令のトリガを待たずに自動的にステップＳ１８に移行し、ディジタルテレビ放送受信機１ｃへの録画を開始してもよい。
【００２７】
また、ディジタルテレビ放送受信機１ｃは、少なくともディジタルテレビ放送を受信する機能と通信機能と録画機能とを持つ端末装置であれば、ディジタルテレビ放送携帯受信機１ａを所持するユーザーが自宅に保有する固定型のディジタルテレビ放送受信機、または、ディジタルテレビ放送受信機能付きＰＣ、または、ユーザーが保有する他のディジタルテレビ放送携帯受信機であってもよい。
【００２８】
さらに、実施の形態１における実施例では、メール作成装置１ｂをディジタルテレビ放送携帯受信機１ａの外部にある装置（端末）としたが、メール作成装置１ｂの機能をディジタルテレビ放送携帯受信機１ａに内蔵した構成であってもよい。
【００２９】
次に、視聴可否判定部１５が、当該番組を視聴可能であるか否かを判定する方法について、２通りの具体例を挙げて説明する。
【００３０】
その前に、図３を参照しながら、ディジタルテレビ放送携帯受信機１ａにおけるディジタルテレビ放送受信部１１の構成について説明する。
【００３１】
図３は、ディジタルテレビ放送携帯受信機１ａにおけるディジタルテレビ放送受信部１１の構成を示すブロック図である。
【００３２】
図３において、ディジタルテレビ放送受信チューナ１１１は、ディジタルテレビ放送局１ｄから送信されるＴＳ（Ｔｒａｎｓｐｏｒｔ  Ｓｔｒｅａｍ）と呼ばれる信号を受信する。ここで、ＴＳ信号とは、映像および音声などのデータが多重化された信号のことである。ディジタルテレビ放送受信チューナ１１１にて受信されたＴＳ信号は、ＴＳデコーダ１１２において、音声ＰＥＳ（Ｐａｃｋｅｔｅｄ  Ｅｌｅｍｅｎｔａｒｙ  Ｓｔｒｅａｍ）１１３、映像ＰＥＳ１１４、データセクション１１５、ＰＳＩ（番組特定情報）１１６、およびＳＩ（Ｓｅｒｖｉｃｅ  Ｉｎｆｏｒｍａｔｉｏｎ）１１７に分離される。ここで、ＰＥＳとは、タイムスタンプ情報を有し、時刻同期をとりながら映像、音声、文字などを再生することが可能なデータ形式の一つである。ＳＩ１１７は、番組配列情報と呼ばれ、番組に関する情報（チャンネルの名称、放送事業者名、番組のタイトル、放送日時、番組内容、地域識別情報など）が含まれている。音声ＰＥＳ１１３に含まれる音声データはスピーカ１９に出力される。映像ＰＥＳ１１４、データセクション１１５、ＰＳＩ１１６、およびＳＩ１１７に含まれる映像および文字情報などは、表示部１６でディジタルテレビ放送受信画面として表示される。また、ＳＩ１１７の出力信号は、番組情報記憶部１２にも出力されてここで保持される。
【００３３】
（第１の方法）
第１の方法は、番組のタイトル、番組内容から判断する方法である。視聴可否判定部１５は、番組情報解析部１４から当該番組のタイトルまたは番組内容を取得し、番組情報記憶部１２に保持されている全番組情報と比較する。番組情報記憶部１２に保持されている全番組情報の中に、当該番組と一致する番組が存在する場合は、視聴可能であると判断する。
【００３４】
（第２の方法）
第２の方法は、地域識別情報から判断する方法である。視聴可否判定部１５は、番組情報解析部１４から取得した当該番組の地域識別情報と、番組情報記憶部１２に保持されているディジタルテレビ放送携帯受信機１ａが受信可能な地域識別情報とを比較し、この二つの地域識別情報が一致している場合は、視聴可能であると判断する。
【００３５】
以上のように、本発明によれば、ユーザーが受信したメールに記載されたディジタルテレビ放送番組の中から視聴を希望する番組として、あるいは必要な番組として選択した番組（当該番組）が、所持するディジタルテレビ放送携帯受信機で視聴することができない状態であっても、他のディジタルテレビ放送受信機において当該番組を録画することによって、ユーザーが当該番組を見ることができないことによって抱く不快感を緩和し、当該番組をより多く視聴可能とすることができる。
【００３６】
（実施の形態２）
図４は、本発明の実施の形態２における、ディジタルテレビ放送携帯受信機の構成を示すブロック図である。実施の形態２に係るディジタルテレビ放送携帯受信機２ａは、実施の形態１に係るディジタルテレビ放送携帯受信機１ａが有する機能に加えて、視聴あるいは録画することを予約した番組の視聴可否状況を監視する機能をさらに有する。
【００３７】
図４において、ディジタルテレビ放送携帯受信機２ａは、ディジタルテレビ放送携帯受信機１ａの構成に番組予約管理部２１が追加された構成となっており、番組予約管理部２１以外の構成要素（構成ブロック）は、ディジタルテレビ放送携帯受信機１ａにおける各々の構成ブロックと同一の構成となっている。したがって、ここでは、ディジタルテレビ放送携帯受信機１ａにおける構成ブロックと同じ構成ブロックについては同一の符号を付し、詳細な説明は省略する。
【００３８】
なお、番組予約管理部２１は、視聴あるいは録画予約中の番組の視聴可否状態を監視するための手段である。
【００３９】
次に、本発明の実施の形態２におけるディジタルテレビ放送携帯受信機２ａにおいて実行される動作のフローチャートを示した図５を参照しながら、ディジタルテレビ放送携帯受信機２ａが、メール作成装置１ｂが送信した番組情報メールを受信し、受信した番組情報メールに記述されている番組の中から番組を選択して視聴予約あるいは録画予約した場合に、これらの予約された番組を視聴、あるいはディジタルテレビ放送受信機１ｃに録画する動作について説明する。
【００４０】
なお、説明の便宜上、番組予約管理部２１には、メール受信部１３が受信した番組情報メールに記述されている番組の中から選択された番組が、視聴予約あるいは録画予約されているものとする。
【００４１】
図５において、ディジタルテレビ放送携帯受信機２ａを所有するユーザーが所在場所を移動することなどによって、番組情報記憶部１２に保持されている番組情報が更新された場合（ステップＳ２１）、番組予約管理部２１は、全ての視聴あるいは録画が予約されている番組に対して、視聴が可能であるか否かを判断する（ステップＳ２２）。その判断の結果、視聴予約時に視聴が可能であった番組が視聴不可能と判断された場合、ディジタルテレビ放送受信機１ｃ制御部１７は、通信部１８を介して視聴が不可能と判断された番組の番組情報をディジタルテレビ放送受信機１ｃへ送信し（ステップＳ２３）、その後、ディジタルテレビ放送受信機１ｃが発信する応答信号、即ちディジタルテレビ放送受信機１ｃにおいてディジタルテレビ放送受信機１ｃ制御部１７から送信された番組情報の番組の受信が可能か否かの受信可否応答信号を受信する（ステップＳ２４）。受信可否応答信号が「受信可能」であることを示す信号であった場合（ステップＳ２５）、ディジタルテレビ放送受信機１ｃ制御部１７は、ディジタルテレビ放送受信機１ｃに対し、通信部１８を介して受信可能と判断された番組の録画を要求する信号を送信する（ステップＳ２６）。
【００４２】
以上のように、視聴あるいは録画が予約された番組の視聴可否状態を監視し、ユーザーが所在場所を移動することなどによって視聴可能であった視聴予約番組が視聴不可の状態に移行した場合、その予約されていた番組を他のディジタルテレビ放送受信機に録画するように対応し、逆に視聴不可であるため録画予約していた番組が視聴可能に移行した場合、録画予約を取り消して視聴するか否かを判断して対応することで、ユーザーに煩わしい操作を必要とすることなく、視聴を希望する番組をより多く視聴可能とすることができる。
【００４３】
なお、ステップＳ２２において予約番組が視聴不可であると判断された場合は、「予約番組が受信できない」ことを示すメッセージを表示部１６に表示して、ユーザーに通知するようにしてもよい。
【００４４】
（実施の形態３）
図６は、本発明の実施の形態３における、ディジタルテレビ放送携帯受信機の構成を示すブロック図である。実施の形態３におけるディジタルテレビ放送携帯受信機３ａは、実施の形態１におけるディジタルテレビ放送携帯受信機１ａが有する機能に加えて、ディジタルテレビ放送受信機１ｃが受信して送信する画像情報を、ディジタルテレビ放送受信機１ｃから受信して取得する機能をさらに有する。
【００４５】
図６において、ディジタルテレビ放送携帯受信機３ａは、ディジタルテレビ放送携帯受信機１ａの構成に画像情報表示制御部３１が追加された構成となっており、画像情報表示制御部３１以外の構成要素（構成ブロック）は、ディジタルテレビ放送携帯受信機１ａにおける各々の構成ブロックと同一の構成となっている。したがって、ここでは、ディジタルテレビ放送携帯受信機１ａにおける構成ブロックと同じ構成ブロックについては同一の符号を付し、詳細な説明は省略する。
【００４６】
なお、画像情報表示制御部３１は、ディジタルテレビ放送受信機１ｃ制御部１７が、通信部１８を介してディジタルテレビ放送受信機１ｃから取得した画像情報を表示部１６に表示するための制御手段である。
【００４７】
次に、本発明の実施の形態３におけるディジタルテレビ放送携帯受信機３ａにおいて実行される動作のフローチャートを示した図７を参照しながら、ディジタルテレビ放送携帯受信機３ａが、メール作成装置１ｂが送信した番組情報メールを受信し、受信した番組情報メールに記述されている番組情報の中から選択した番組（当該番組）が視聴できない場合、ディジタルテレビ放送受信機１ｃから当該番組の画像情報を取得する動作について説明する。
【００４８】
図７において、ディジタルテレビ放送携帯受信機３ａのメール受信部１３は、メール作成装置１ｂが送信した番組情報メールを受信し（ステップＳ３１）、番組情報解析部１４は、メール受信部１３が受信した番組情報メールの中から視聴を希望する番組として、あるいは必要な番組として選択した番組（当該番組）の番組情報を取得する（ステップＳ３２）。視聴可否判定部１５は、番組情報記憶部１２が保持している番組情報を基に、番組情報解析部１４が取得した当該番組が視聴可能であるか否かを判断する（ステップＳ３３）。視聴可否判定部１５において当該番組が視聴不可と判断された場合、ディジタルテレビ放送受信機１ｃ制御部１７は、通信部１８を介して番組情報解析部１４が取得した当該番組の番組情報をディジタルテレビ放送受信機１ｃへ送信し（ステップＳ３４）、ディジタルテレビ放送受信機１ｃが発信する応答信号、即ちディジタルテレビ放送受信機１ｃにおいて当該番組の受信が可能か否かの受信可否応答信号を待つ（ステップＳ３５）。ディジタルテレビ放送受信機１ｃからの受信可否応答信号が「受信可能」であることを示す信号であった場合（ステップＳ３６）、表示部１６に当該番組を視聴するか否かのメッセージを表示し、ユーザーが視聴するか否かを判断してディジタルテレビ放送携帯受信機３ａの操作部（図示せず）から入力する視聴指令のトリガの発生を待つ（ステップＳ３７）。視聴指令のトリガが発生すると、ディジタルテレビ放送受信機１ｃ制御部１７は、ディジタルテレビ放送受信機１ｃが受信している当該番組の画像情報を送信するように要求する信号を、通信部１８を介してディジタルテレビ放送受信機１ｃに送信し（ステップＳ３８）、この要求信号に応じてディジタルテレビ放送受信機１ｃから送信される画像情報を受信する（ステップＳ３９）。ディジタルテレビ放送受信機１ｃから受信した画像情報は、画像情報表示制御部３１を介して表示部１６に表示する（ステップＳ３ａ）。ステップＳ３８からステップＳ３ａまでの処理動作は、一定周期毎に、かつ、ユーザーが当該番組の視聴を中断させるまで、あるいは当該番組が終了するまで繰り返し実行される。また、一定周期の間隔は、ユーザーによって選択できるものとする。
【００４９】
ここで、ステップＳ３７において、ユーザーが入力する視聴指令のトリガを待たずに自動的にステップＳ３８に移行し、ディジタルテレビ放送受信機１ｃから当該番組の画像情報の取得を開始してもよい。
【００５０】
また、図７に示すフローチャートにおいては、一定周期毎に画像情報の受信を繰り返す実施例を示しているが、ディジタルテレビ放送携帯受信機３ａとディジタルテレビ放送受信機１ｃとの間の通信回線が太くできる場合は、ディジタルテレビ放送携帯受信機３ａは、当然のことながら、ディジタルテレビ放送受信機１ｃが受信する全ての画像を、ディジタルテレビ放送受信機１ｃからリアルタイムで受信することも可能である。
【００５１】
また、ステップＳ３９にてディジタルテレビ放送携帯受信機３ａが受信する当該番組の情報は、画像情報ではなく音声情報であってもよいし、さらに、画像情報と音声情報の両方の情報であってもよい。ただし、音声情報を扱う場合は、画像情報表示部３１に音声情報を処理する機能を持たせることは言うまでもない。
【００５２】
以上のように、ユーザーが受信した番組情報メールの中から選択した番組（当該番組）が、ユーザー自身が携帯するディジタルテレビ放送携帯受信機（３ａ）で視聴することができない場合、他のディジタルテレビ放送受信機（１ｃ）が受信して送信する当該番組の画像情報および／または音声情報を、ある一定周期毎に受信することによって、間欠情報ではあるが、当該番組をリアルタイムに視聴することを可能とすることができる。
【産業上の利用可能性】
【００５３】
本発明に係るディジタルテレビ放送携帯受信機は、ユーザーが所在場所を移動しながら使用することを前提としたメールを受信する機能を有する携帯型ディジタルテレビ放送受信機に有用である。
【図面の簡単な説明】
【００５４】
【図１】本発明の実施の形態１におけるディジタルテレビ放送携帯受信機１ａの構成を示すブロック図
【図２】本発明の実施の形態１におけるディジタルテレビ放送携帯受信機１ａにおいて実行される動作のフローチャート
【図３】ディジタルテレビ放送携帯受信機１ａにおけるディジタルテレビ放送受信部１１の構成を示すブロック図
【図４】本発明の実施の形態２におけるディジタルテレビ放送携帯受信機２ａの構成を示すブロック図
【図５】本発明の実施の形態２におけるディジタルテレビ放送携帯受信機２ａにおいて実行される動作のフローチャート
【図６】本発明の実施の形態３におけるディジタルテレビ放送携帯受信機３ａの構成を示すブロック図
【図７】本発明の実施の形態３におけるディジタルテレビ放送携帯受信機３ａにおいて実行される動作のフローチャート
【符号の説明】
【００５５】
１ａ  ディジタルテレビ放送携帯受信機
１ｂ  メール作成装置
１ｃ  ディジタルテレビ放送受信機
１ｄ  ディジタルテレビ放送局
１１  ディジタルテレビ放送受信部
１２  番組情報記憶部
１３  メール受信部
１４  番組情報解析部
１５  視聴可否判定部
１６  表示部
１７  ディジタルテレビ放送受信機１ｃ制御部
１８  通信部
１９  スピーカ
１１１  ディジタルテレビ放送受信チューナ
１１２  ＴＳデコーダ
１１３  音声ＰＥＳ
１１４  映像ＰＥＳ
１１５  データセクション
１１６  ＰＳＩ
１１７  ＳＩ
２ａ  ディジタルテレビ放送携帯受信機
２１  番組予約管理部
３ａ  ディジタルテレビ放送携帯受信機
３１  画像情報表示制御部
【図１】
2006196952.tif 000003
【図２】
2006196952.tif 000004
【図３】
2006196952.tif 000005
【図４】
2006196952.tif 000006
【図５】
2006196952.tif 000007
【図６】
2006196952.tif 000008
【図７】
2006196952.tif 000009